(57)【要約】      （修正有）【課題】スペースを取ることなく、効果的にスイングの練習をすることができるゴルフ練習具を提供する。【解決手段】長尺状に延び、長さ方向に弾性変形可能な本体部１０と、該本体部の両端にそれぞれ設けられ、練習者の左右の足それぞれ止められる右足止め部１１ａおよび左足止め部１１ｂと、前記本体部の長さ方向の途中位置に２つ設けられ、練習者の両肘にそれぞれ止められる右肘止め部１２ａおよび左肘止め部１２ｂとを備えることを特徴とする。【選択図】図１
0003160928.tif 000002
【実用新案登録請求の範囲】
【請求項１】
長尺状に延び、長さ方向に弾性変形可能な本体部と、
前記本体部の両端にそれぞれ設けられ、練習者の左右の足それぞれ止められる右足止め部および左足止め部と、
前記本体部の長さ方向の途中位置に２つ設けられ、練習者の両肘にそれぞれ止められる右肘止め部および左肘止め部と
を備えることを特徴とするゴルフ練習具。
【請求項２】
前記右足止め部と前記右肘止め部との間の長さ寸法が、前記左足止め部と前記左肘止め部との間の長さ寸法よりも小さくなっていることを特徴とする請求項１に記載のゴルフ練習具。
【請求項３】
前記本体部の長さ方向の中央部に、中央識別部が設けられていることを特徴とする請求項１または請求項２に記載のゴルフ練習具。
【請求項４】
前記本体部に、前記本体部の前後方向を識別するための前後識別部が設けられていることを特徴とする請求項から請求項３のいずれか一つに記載のゴルフ練習具。
【請求項５】
前記本体部が帯状に形成されており、前記本体部に、前記本体部の表裏を識別するための表裏識別部が設けられていることを特徴とする請求項１から請求項４のいずれか一つに記載のゴルフ練習具。
【請求項６】
前記右肘止め部と前記左肘止め部との間を連結する連結部材を備えることを特徴とする  請求項１から請求項５のいずれか一つに記載のゴルフ練習具。
【請求項７】
前記本体部、前記右肘止め部、前記左肘止め部、前記右足止め部、および前記左足止め部が、一本の長尺部材からなっており、
前記右肘止め部および前記左肘止め部が、前記本体部の長さ方向の途中位置において環状に結ばれて形成されており、
前記右足止め部および前記左足止め部が、前記本体部の両端において環状に結ばれて形成されていることを特徴とする請求項１から請求項６のいずれか一つに記載のゴルフ練習具。
【請求項８】
前記右肘止め部および前記左肘止め部の少なくともいずれか一方が、帯状に形成されていることを特徴とする請求項１から請求項７のいずれか一つに記載のゴルフ練習具。
【請求項９】
前記右足止め部および前記左足止め部の少なくともいずれか一方が、帯状に形成されていることを特徴とする請求項１から請求項８のいずれか一つに記載のゴルフ練習具。
【請求項１０】
前記右肘止め部および前記左肘止め部の少なくともいずれか一方が、折り返された前記本体部が通される環状の固定部によって前記本体部の一部が環状に固定されて形成されることを特徴とする請求項１から請求項９のいずれか一つに記載のゴルフ練習具。
【考案の詳細な説明】
【技術分野】
【０００１】
本考案は、効果的に練習することができるゴルフ練習具に関する。
【背景技術】
【０００２】
今日、ゴルフはメジャーなスポーツの一つとして、多くの人にプレイされている。その中には、少しでもスコアを伸ばそうと、日々練習する人も多い。
従来、そのようなゴルフの練習具として、例えば、環状のガイドリングと、ガイドバーを備えたものが知られている（例えば、特許文献１参照。）。そしてこれらガイドリングとガイドバーによって、スイング時においてゴルフクラブが適正な軌道へと案内され、スイングが修正される。
また、ゴルフの練習方法としては、ゴルフ練習場などで実際にゴルフボールを打って練習したり、筋力トレーニング用の器具を使って家庭で筋力トレーニングを行ったり、さらには、スポーツジムなどで筋力トレーニングを行ったりする方法も知られている。
【先行技術文献】
【特許文献】
【０００３】
【特許文献１】特開２００５−２１８７８４号公報
【考案の概要】
【考案が解決しようとする課題】
【０００４】
しかしながら、上記のようなゴルフ練習具では、ガイドリングやガイドバーなどの大掛かりな装置が必要となってしまうだけでなく、適正なスイングに必要な筋力（腕、背筋、腹筋など）を効果的に鍛えることができないという問題がある。
また、ゴルフ練習場などでの練習では、ゴルフボールを実際に飛ばす感覚を味わうことができるものの、それだけでスイングの修正や適正な筋力トレーニングなどを行うことはできない。
また、家庭での筋力トレーニングでは、腕、背筋、腹筋など個々の筋肉を鍛えることはできるものの、全身の筋肉を効率よく鍛えることができないだけでなく、ゴルフの適切なスイングに必要な筋肉を特に鍛えるということも困難である。
さらに、スポーツジムなどでは、種々のトレーニング装置が揃っているところもあり、個々の筋肉に加えて全身の筋肉を鍛えることができるものの、ゴルフの適切なスイングに必要な筋肉を特に鍛えるということは困難である。
【０００５】
本考案は、このような問題を解決するためになされたもので、スペースを取ることなく、効果的にスイングの練習をすることができるゴルフ練習具を提供することを目的とする。
【課題を解決するための手段】
【０００６】
上記課題を解決するために、本考案は以下の手段を提供する。
本考案は、長尺状に延び、長さ方向に弾性変形可能な本体部と、前記本体部の両端にそれぞれ設けられ、練習者の左右の足それぞれ止められる右足止め部および左足止め部と、前記本体部の長さ方向の途中位置に２つ設けられ、練習者の両肘にそれぞれ止められる右肘止め部および左肘止め部とを備えることを特徴とする。
【０００７】
この考案によれば、ゴルフのスイングに必要な筋肉を効果的に鍛えることができる。
【０００８】
また、本考案は、前記右足止め部と前記右肘止め部との間の長さ寸法が、前記左足止め部と前記左肘止め部との間の長さ寸法よりも小さくなっていることを特徴とする。
【０００９】
この考案によれば、ゴルフのスイング動作に合わせることができ、より効果的に鍛えることができる。
【００１０】
また、本考案は、前記本体部の長さ方向の中央部に、中央識別部が設けられていることを特徴とする。
【００１１】
この考案によれば、中央識別部を目視するだけで、本体部の長さ方向の中央部を容易に見つけることができる。
【００１２】
また、本考案は、前記本体部に、前記本体部の前後方向を識別するための前後識別部が設けられていることを特徴とする。
【００１３】
この考案によれば、前後識別部を目視するだけで、本体部の前後を容易に判別することができる。
【００１４】
また、本考案は、前記本体部が帯状に形成されており、前記本体部に、前記本体部の表裏を識別するための表裏識別部が設けられていることを特徴とする。
【００１５】
この考案によれば、表裏識別部を目視するだけで、本体部の表裏を容易に判別することができる。
【００１６】
また、本考案は、前記右肘止め部と前記左肘止め部との間を連結する連結部材を備えることを特徴とする。
【００１７】
この考案によれば、アドレスからフォロースルーまでの一連のスイング過程において、両肘が開くことが防止され、適正なスイングを身につけることができる
【００１８】
また、本考案は、前記本体部、前記右肘止め部、前記左肘止め部、前記右足止め部、および前記左足止め部が、一本の長尺部材からなっており、前記右肘止め部および前記左肘止め部が、前記本体部の長さ方向の途中位置において環状に結ばれて形成されており、前記右足止め部および前記左足止め部が、前記本体部の両端において環状に結ばれて形成されていることを特徴とする。
【００１９】
この考案によれば、部品点数を減少させることができ、コストダウンを図ることができる。
【００２０】
また、本考案は、前記右肘止め部および前記左肘止め部の少なくともいずれか一方が、帯状に形成されていることを特徴とする。
【００２１】
この考案によれば、右肘止め部および左肘止め部と体との間の摩擦力を増大させることができ、スイング時において、右肘止め部および左肘止め部が腕の長さ方向にズレることを防止することができる。
【００２２】
また、本考案は、前記右足止め部および前記左足止め部の少なくともいずれか一方が、帯状に形成されていることを特徴とする。
【００２３】
この考案によれば、両足で踏んだときの違和感が生ずることを防止することができる
【００２４】
また、本考案は、前記右肘止め部および前記左肘止め部の少なくともいずれか一方が、折り返された前記本体部が通される環状の固定部によって前記本体部の一部が環状に固定されて形成されることを特徴とする。
【００２５】
この考案によれば、練習者の体格に合わせて、右肘止め部および左肘止め部の位置を容易に変更することができる
【考案の効果】
【００２６】
本考案によれば、スペースを取ることなく、効果的にスイングの練習をすることができる。
【図面の簡単な説明】
【００２７】
【図１】本考案の実施形態におけるゴルフ練習具を示す全体構成図である。
【図２】図１の中央識別部を拡大して示す平面図である。
【図３】図１のゴルフ練習具を取り付けてアドレスに入った様子を示す説明図である。
【図４】図１のアドレスからバックスイングに移行した様子を示す説明図である。
【図５】図４のバックスイングからフォロースルーに移行した様子を示す説明図である。
【図６】図１の右肘止め部および左肘止め部の変形例を示す説明図である。
【考案を実施するための最良の形態】
【００２８】
以下、本考案の実施形態におけるゴルフ練習具について、図面を参照して説明する。
図１は、本考案の実施形態としてのゴルフ練習具１を示したものである。
ゴルフ練習具１は、長尺状に延びる本体部１０を備えている。本体部１０は、帯状に形成されている。また、本体部１０は、ゴムなどからなっており、長さ方向に弾性変形するようになっている。この本体部１０は、練習者Ｐ（図３に示す）の首の後ろから、体の前方に回されて両足のそれぞれに延ばされて取り付けられるものである。
【００２９】
さらに、本体部１０の両端には、練習者Ｐの右足に止められる右足止め部１１ａと、左足に止められる左足止め部１１ｂとが設けられている。右足止め部１１ａおよび左足止め部１１ｂは、本体部１０の両端が折り返されて結ばれることにより環状に形成されている。そして、練習者Ｐが、右足止め部１１ａの輪の中に右足を入れて、右足の土踏まずの辺りで右足止め部１１ａを踏むことにより、右足止め部１１ａが練習者Ｐの右足に止められるようになっている。同様に、練習者Ｐが、左足止め部１１ｂの輪の中に左足を入れて、左足の土踏まずの辺りで左足止め部１１ｂを踏むことにより、左足止め部１１ｂが練習者Ｐの左足に止められるようになっている。
【００３０】
また、本体部１０の長さ方向の途中位置には、練習者Ｐの右肘に止められる右肘止め部１２ａと、左肘に止められる左肘止め部１２ｂとが設けられている。
これら右肘止め部１２ａおよび左肘止め部１２ｂは、帯状に形成されている。また、右肘止め部１２ａおよび左肘止め部１２ｂは、本体部１０の長さ方向の途中位置において結ばれて環状に形成されている。すなわち、本体部１０は組み立て前にもともと一本の連続した長尺部材からなっており、その両端および途中位置で環状に結ばれることにより、右足止め部１１ａ、左足止め部１１ｂ、右肘止め部１２ａおよび左肘止め部１２ｂが形成されている。なお、途中位置とは、本体部１０の長さ方向の中央部から本体部１０の一端の間の位置、および、本体部１０の長さ方向の中央部から本体部１０の他端の間の位置をいう。
【００３１】
また、右肘止め部１２ａは、左肘止め部１２ｂよりも、本体部１０の先端側に位置している。すなわち、右肘止め部１２ａと右足止め部１１ａとの間の長さ寸法Ｌ１は、左肘止め部１２ｂと左足止め部１１ｂとの間の長さ寸法Ｌ２よりも短くなっている。そのため、本体部１０を体に取り付けるときには、本体部１０の両長辺部の一辺側を練習者Ｐの体の前方側に配し、他辺側を後方側に配することにより、右肘止め部１２ａが練習者Ｐの右側に配され、左肘止め部１２ｂが練習者Ｐの左側に配されるようになっている。
さらに、右肘止め部１２ａおよび左肘止め部１２ｂは、本体部１０の表裏面のうち、表面から厚さ方向前方に突出するように結ばれている。そのため、本体部１０の裏面側を体に密着させ、表面側を外方に向けることにより、右肘止め部１２ａおよび左肘止め部１２ｂが、自然と練習者Ｐの前方に配されるようになっている。
また、右肘止め部１２ａおよび左肘止め部１２ｂには、これら右肘止め部１２ａおよび左肘止め部１２ｂとを連結する連結紐（連結部材）１４が取り付けられている。連結紐１４は、とくに弾性部材でなくてもよい。この連結紐１４の両端には鉤上の連結フック１４ａが設けられている。そして、これら連結フック１４ａに、右肘止め部１２ａまたは左肘止め部１２ｂが通されることにより、この連結フック１４ａが右肘止め部１２ａおよび左肘止め部１２ｂに着脱可能に取り付けられるようになっている。
【００３２】
また、本体部１０の長さ方向の中央部には、図２に示すように、本体部１０の中央であることが練習者Ｐに分かるように、中央識別部１３が設けられている。
中央識別部１３は、例えばテープなどからなっており、中央識別部１３の中央部に、全周にわたって巻回されることによって取り付けられている。なお、中央識別部１３は、本体部１０の伸縮に合わせて伸縮する弾性部材であることが好ましい。
また、中央識別部１３の表裏面のうちの表面側には、例えば「上側」などの文字が記載されている。さらに、中央識別部１３の前方側には、例えば「前」などの文字が記載されている。これにより、本体部１０の表裏面および前後が練習者Ｐに容易に分かるようになっている。すなわち、「上側」の文字が表裏識別部１５として機能し、「前」の文字が前後識別部１６として機能する。
【００３３】
次に、このように構成された本実施形態におけるゴルフ練習具１の使い方について説明する。
まず、図３に示すように、練習者Ｐは、本体部１０の長さ方向の中央部を首の後ろにあてがい、本体部１０を首の後ろから体の前に回して両足まで垂らす。このとき、練習者Ｐは、中央識別部１３を目視することにより、本体部１０の長さ方向の中央部を容易に認識することができる。また、練習者Ｐは、表裏識別部１５および前後識別部１６を目視することによって、本体部１０の表裏および前後を容易に認識することができる。すなわち、本体部１０の表裏のうち、表裏識別部１５の側を体の外方側に配するとともに、本体部１０の両長辺部のうち、前後識別部１６の側を体の前方側に配する。これにより、本体部１０が、首の後ろから体の前方を回って両足まで、ねじれることなく延ばされるだけでなく、右肘止め部１２ａが練習者Ｐの右側に配され、左肘止め部１２ｂが練習者Ｐの左側に配される。
【００３４】
それから、練習者Ｐは、右足止め部１１ａに右足を通し、土踏まずの辺りで右足止め部１１ａを踏む。同様にして、練習者Ｐは、左足止め部１１ｂに左足を通し、土踏まずの辺りで左肘止め部１２ｂを踏む。このとき、右足止め部１１ａおよび左足止め部１１ｂが帯状になっていることから、両足で踏んだときの違和感を抑えることができる。
次いで、練習者Ｐは、右肘止め部１２ａに右腕を通し、右肘の辺りまで右肘止め部１２ａを配する。さらに、練習者Ｐは、左肘止め部１２ｂに左腕を通し、左肘の辺りまで左肘止め部１２ｂを配する。これにより、ゴルフ練習具１が練習者Ｐの体に取り付けられる。このとき、本体部１０の長さ方向の中央部から右足止め部１１ａおよび左足止め部１１ｂまでの長さは、練習者Ｐの首の後ろから体の前方をまわった両足までの長さよりも短くなっていることから、本体部１０は長さ方向に弾性変形した状態になる。
【００３５】
それから、練習者Ｐは、ゴルフクラブＡを握って構える（アドレスに入る）。そして、図４に示すように、練習者Ｐは、テイクバックおよびバックスイング動作に移す。このとき、両肘が右斜め上方に上がるため、両腕が、右肘止め部１２ａおよび左肘止め部１２ｂを介して、本体部１０を引っ張る。本体部１０は、さらに弾性変形して伸ばされる。そのため、練習者Ｐの腕、背筋および腹筋など、テイクバックやバックスイング動作に必要な筋肉が鍛えられる。なお、連結紐１４が設けられているため、このときに両腕が開くことが規制される。また、右肘止め部１２ａおよび左肘止め部１２ｂは、帯状に形成されていることから、体に対する接触面積を増やすことができ、摩擦力の増大により、肘が右斜め上方に上がったときに、右肘止め部１２ａおよび左肘止め部１２ｂがズレることが抑制される。
さらに、練習者Ｐは、ダウンスイングに移り、インパクトを経て、図５に示すように、フォロースルーに移る。このとき、両肘が左斜め上方に上がるため、両腕が、右肘止め部１２ａおよび左肘止め部１２ｂを介して、本体部１０を引っ張る。同様にして、本体部１０は、さらに弾性変形して伸ばされる。そのため、練習者Ｐの腕、背筋および腹筋など、フォロースルー動作に必要な筋肉が鍛えられる。
【００３６】
以上より、本実施形態におけるゴルフ練習具１によれば、ゴルフのスイングに必要な筋肉を効果的に鍛えることができる。また、本体部１０をより伸ばすためには、バックスイング時に両肘をより高くする動作が必要であり、この動作がスイングの適正な軌道にマッチするため、スイングの軌道を適正に矯正することができる。
また、長さ寸法Ｌ１が長さ寸法Ｌ２よりも短くなっていることから、ゴルフのスイング動作に合わせて練習者Ｐに最適に取り付けることができ、より効果的に鍛えることができる。
また、中央識別部１３が設けられていることから、中央識別部１３を目視するだけで、本体部１０の長さ方向の中央部を容易に見つけることができる。
また、表裏識別部１５および前後識別部１６が設けられていることから、表裏識別部１５および前後識別部１６を目視するだけで、本体部１０の表裏および前後を容易に判別することができる。
【００３７】
また、連結紐１４が設けられていることから、アドレスからフォロースルーまでの一連のスイング過程において、両肘が開くことが防止され、適正なスイングを身につけることができる。
また、本体部１０、右肘止め部１２ａ、左肘止め部１２ｂ、右足止め部１１ａおよび左足止め部１１ｂが、一本の長尺部材からなっていることから、部品点数を減少させることができ、コストダウンを図ることができる。
【００３８】
また、右肘止め部１２ａおよび左肘止め部１２ｂが帯状に形成されていることから、体に対する接触面積を増やすことができ、右肘止め部１２ａおよび左肘止め部１２ｂと体との間の摩擦力を増大させることができる。そのため、スイング時において、右肘止め部１２ａおよび左肘止め部１２ｂが腕の長さ方向にズレることを防止することができる。
また、右足止め部１１ａおよび左足止め部１１ｂが帯状に形成されていることから、両足で踏んだときの違和感が生ずることを防止することができる。
【００３９】
なお、本考案の技術範囲は上記の実施形態に限定されるものではなく、本考案の趣旨を逸脱しない範囲において、種々の変更を加えることが可能である。
例えば、本体部１０がゴムからなるとしたが、これに限ることはなく、他の樹脂やバネなどの弾性部材でもよい。さらに、セラバンドなども利用できる。
また、表裏識別部１５および前後識別部１６が文字からなるものとしているが、これに限ることはなく、模様や形状（例えば切り込みや凹凸など）などにより識別できるようにしてもよい。
【００４０】
さらに、右肘止め部１２ａおよび左肘止め部１２ｂが本体部１０から結ばれて形成されるとしたが、これに限ることはなく、その構造は適宜変更可能である。例えば、図６に示すように、本体部１０の一部を環状に折り返して、環状の固定部１２２に通すことにより、右肘止め部１２１ａおよび左肘止め部１２１ｂを形成してもよい。これにより、練習者Ｐの体格に合わせて、右肘止め部１２１ａおよび左肘止め部１２１ｂの位置を容易に変更することができる。
また、長さ寸法Ｌ１と長さ寸法Ｌ２とは、同じ寸法であってもよいし、長さ寸法Ｌ１の方が長くてもよい。
また、中央識別部１３、表裏識別部１５および前後識別部１６は、設けなくてもよい。
また、連結紐１４も無くてもよい。
【００４１】
また、本体部１０、右肘止め部１２ａ、左肘止め部１２ｂ、右足止め部１１ａおよび左足止め部１１ｂが一本の長尺部材からなるとしたが、これに限ることはなく、それぞれ別部材であってもよい。
また、右肘止め部１２ａ、左肘止め部１２ｂ、右足止め部１１ａおよび左足止め部１１ｂが帯状に形成されているとしたが、これに限ることはなく、その形状は紐状など適宜変更可能である。
【符号の説明】
【００４２】
１  ゴルフ練習具
１０  本体部
１１ａ  右足止め部
１１ｂ  左足止め部
１２ａ  右肘止め部
１２ｂ  左肘止め部
１３  中央識別部
１４  連結紐（連結部材）
１５  表裏識別部
１６  前後識別部
１２１ａ  右肘止め部
１２１ｂ  左肘止め部
【図１】
0003160928.tif 000003
【図２】
0003160928.tif 000004
【図３】
0003160928.tif 000005
【図４】
0003160928.tif 000006
【図５】
0003160928.tif 000007
【図６】
0003160928.tif 000008
【手続補正書】
【提出日】平成22年5月11日(2010.5.11)
【手続補正１】
【補正対象書類名】実用新案登録請求の範囲
【補正対象項目名】全文
【補正方法】変更
【補正の内容】
【実用新案登録請求の範囲】
【請求項１】
長尺状に延び、長さ方向に弾性変形可能な本体部と、
前記本体部の両端にそれぞれ設けられ、練習者の左右の足それぞれ止められる右足止め部および左足止め部と、
前記本体部の長さ方向の途中位置に２つ設けられ、練習者の両肘にそれぞれ止められる右肘止め部および左肘止め部と
を備えることを特徴とするゴルフ練習具。
【請求項２】
前記右足止め部と前記右肘止め部との間の長さ寸法が、前記左足止め部と前記左肘止め部との間の長さ寸法よりも小さくなっていることを特徴とする請求項１に記載のゴルフ練習具。
【請求項３】
前記本体部の長さ方向の中央部に、中央識別部が設けられていることを特徴とする請求項１または請求項２に記載のゴルフ練習具。
【請求項４】
前記本体部に、前記本体部の前後方向を識別するための前後識別部が設けられていることを特徴とする請求項１から請求項３のいずれか一つに記載のゴルフ練習具。
【請求項５】
前記本体部が帯状に形成されており、前記本体部に、前記本体部の表裏を識別するための表裏識別部が設けられていることを特徴とする請求項１から請求項４のいずれか一つに記載のゴルフ練習具。
【請求項６】
前記右肘止め部と前記左肘止め部との間を連結する連結部材を備えることを特徴とする  請求項１から請求項５のいずれか一つに記載のゴルフ練習具。
【請求項７】
前記本体部、前記右肘止め部、前記左肘止め部、前記右足止め部、および前記左足止め部が、一本の長尺部材からなっており、
前記右肘止め部および前記左肘止め部が、前記本体部の長さ方向の途中位置において環状に結ばれて形成されており、
前記右足止め部および前記左足止め部が、前記本体部の両端において環状に結ばれて形成されていることを特徴とする請求項１から請求項６のいずれか一つに記載のゴルフ練習具。
【請求項８】
前記右肘止め部および前記左肘止め部の少なくともいずれか一方が、帯状に形成されていることを特徴とする請求項１から請求項７のいずれか一つに記載のゴルフ練習具。
【請求項９】
前記右足止め部および前記左足止め部の少なくともいずれか一方が、帯状に形成されていることを特徴とする請求項１から請求項８のいずれか一つに記載のゴルフ練習具。
【請求項１０】
前記右肘止め部および前記左肘止め部の少なくともいずれか一方が、折り返された前記本体部が通される環状の固定部によって前記本体部の一部が環状に固定されて形成されることを特徴とする請求項１から請求項９のいずれか一つに記載のゴルフ練習具。